(57)【要約】【課題】  遊技場の遊技機の前の遊技者の周囲の空間の汚れた空気を吸引して浄化して、遊技場の空調設備に向けて上方に吹き出して、空調設備と遊技者近くの空気清浄機とを連係して遊技場全体及び遊技者空間まわりの空気の浄化とその循環を効率的とする。【解決手段】  遊技機２の間に細長の取付ボックス５を固設し、同取付ボックスの前壁５０の上方の一部に開口部５１を設け、これに横長の空気清浄機４の後端部４１ｂ１を嵌挿し、同空気清浄機のフィルター４１ａ８は取付取外し自在に取付けられ、しかも取付ボックス５と同後端部４１ｂ１との間に施錠具５５を取付け、又空気清浄機４はその内部の回転羽根４１ａ３で空気を吸引して、フィルター４１ａ８で空気清浄して上方の空調設備３に吹出す。モータ４１ａ４の電源コード４１ａ９はコネクターを介して取付ボックス５の給電線に接続される。【選択図】図２
2016041167.tif 000002
【特許請求の範囲】
【請求項１】
遊技機を複数台列設した遊技場で、同遊技場の上方で汚れた空気を吸い込み、吸い込んだ空気を浄化部で浄化した後に、吹出口から吹き出す空調設備を備えた遊技場における空気環境を改善するための遊技場の空気浄化装置であって、隣合う遊技機の間に巾の短い縦長の取付ボックスを固設し、同取付ボックスの前面壁の上方の一部に開口部を設け、空気を吸引してフィルターで空気清浄した後に上方に吹出す横長の電動の空気清浄機の後端部を前記取付ボックスの開口部に嵌挿して取付ボックスに取付けるとともに、同空気清浄機の電源コードのコネクターを取付ボックスの内部奥に設けた給電側コネクターと取り外し自在に接続し、しかも空気清浄機の嵌挿された後端部と取付ボックスの開口上方との間に空気清浄機の引き抜きを防止する鍵で解錠できる施錠具を取付けたことを特徴とする、遊技場の空気浄化装置。
【請求項２】
空気清浄機が、その吸引口の口縁部に脱着自在に嵌着する通気孔のある押え蓋を備え、フィルターを口縁部と押え具との間で挟持し、押え蓋の脱着でフィルターを簡易に交換可能とした、請求項１記載の遊技場の空気浄化装置。
【請求項３】
空気清浄機の後端部の上面に溝方向が左右方向の係合溝を設け、取付ボックスの上部に施錠具を取付け、取付ボックスの上部前壁に鍵穴を設け、施錠具は鍵穴から挿入される鍵によって前記係合溝に回転して係止する施錠片を有し、鍵で施錠片を回転して空気清浄機の後端の上部を前記係合溝に係止して空気清浄機の引き抜き防止とした、請求項１又は２記載の遊技場の空気浄化装置。
【請求項４】
取付ボックスの奥行きが短く、取付ボックスの後壁の内側に給電側コネクターを固設し、又空気清浄機の後端部の後端壁面に空気清浄機の電源コードの清浄機側コネクターを固設するとともに、同清浄機側コネクターと前記給電側コネクターとの両コネクターが空気清浄機の後端を取付ボックスの開口部から嵌挿すると接続できる同じ高さに配置された、請求項１〜３何れか記載の遊技場の空気浄化装置。
【請求項５】
空気清浄機の後端部の下部の足部分を上方から嵌入できる足受けを取付ボックスの開口部の下部に配置するとともに、同足受けを開口部から少し前方に突出して後端部の足部分が上方から嵌入できる突出位置から開口部内に退去できる位置まで進退自在に取付ボックスの開口部の下部に取付け、空気清浄機の後端部の開口部への挿入を容易とした、請求項４記載の遊技場の空気浄化装置。
【請求項６】
取付ボックスの空気清浄機の後端部を挿入する奥行きが短い取付ボックスの開口部の下方位置に第２の縦に長い第２開口部を設け、同第２開口部に分煙ボードの後端部を脱着自在に嵌挿し、しかもその第２開口部の上方の取付ボックス位置に鍵で解錠できる分煙ボード施錠具を設けた、請求項４又は５記載の遊技場の空気浄化装置。
【請求項７】
分煙ボードの後端部の下部の足部分を上方から嵌入できる足受けを取付ボックスの第２開口部の下部に配置するとともに、同足受けを第２開口部から少し前方に突出して分煙ボードの後端部の足部分が上方から嵌入できる前方位置から第２開口部内に退去できる位置まで進退自在に取付け、分煙ボードの後端部が第２開口部に挿入されることを容易とした、請求項６記載の遊技場の空気浄化装置。
【請求項８】
取付ボックスの奥行きを長くし、取付ボックスの同開口部から空気清浄機を挿入すると、取付ボックスの内部に空気清浄機全体が収容できるようにし、空気清浄機の電源コードは長尺になって、その先端にあるコネクターは取付ボックスの奥に設けた給電側コネクターと接続可能となっている、請求項１〜３何れか記載の遊技場の空気浄化装置。
【請求項９】
空気清浄機の後端部の下部の足部分を上方から嵌入できる同足部分の巾より長い足スライダーを開口部の下方に進退自在に設け、空気清浄機の開口部内への挿入と収納を容易にした、請求項６記載の遊技場の空気浄化装置。
【請求項１０】
奥行きが長い取付ボックスの空気清浄機を挿入する開口部の下方位置に第２の縦に長い第２開口部を設け、同第２開口部に分煙ボードを脱着自在に挿入と収納できるようにし、しかも第２開口部の前方下方の取付ボックス位置に鍵で解錠できる分煙ボードの後端部を取付ボックスに係止する分煙ボード施錠具を設けた、請求項８又は９何れか記載の遊技場の空気浄化装置。
【請求項１１】
分煙ボードの後端部の下部の足部分を上方から嵌入できる同足部分の巾より長い足スライダーを第２開口部に進退自在に設け、しかも分煙ボード施錠具の施錠片が分煙ボードの足部分に係止できるように施錠片の出没を可能とする開口溝を足スライダーに設け、分煙ボードの施錠と収納を可能とした、請求項１０記載の遊技場の空気浄化装置。
【請求項１２】
分煙ボードに書類・ファイルを保持する書類ホルダーと飲料用コップを受ける折り畳式のコップホルダーを取付けた、請求項６又は７記載の遊技場の空気浄化装置。
【請求項１３】
分煙ボードに書類・ファイルを保持する第２開口部を通過できる巾が狭い書類ホルダーと飲料用コップを受ける折り畳式の巾が狭いコップホルダーとを取付けた、請求項１０又は１１記載の遊技場の空気浄化装置。
【請求項１４】
空気清浄機の吸込口が左又は右側の一方側のみにある、請求項１〜１３何れか記載の遊技場の空気浄化装置。
【請求項１５】
空気清浄機の吸込口が左右両方面にある、請求項１〜１３何れか記載の遊技場の空気浄化装置。
【請求項１６】
空気清浄機の空気清浄機本体が卵を縦にした略卵型外形状で、その下半部と上半部とが枢着して開閉可能に嵌着されたもので、その下半部に空気吸引口を有し、上半部に上方への空気吹出口を有し、下半部又は上半部のいずれかに空気を下方から吸引して上方へ吹出す電動の送気ファンを設け、更に上半部と下半部の嵌合面にフィルターを配置した構造である、請求項１記載の遊技場の空気浄化装置。
【請求項１７】
空気清浄機本体が常時は卵を縦になる姿勢で保持でき且つ９０°反転させた跳ね上げ姿勢に保持できるように横長の取付アームの先端に取り付けられ、同取付アームの後端部の上方に施錠用係合溝と送気ファンの電源コードのコネクターを取付け、同取付アームの後端部を取付ボックスの開口部に挿入して開口部上方に設けた施錠具で施錠されて且つ給電用コネクターと送気ファンの電源コネクターが接続されるように取付ボックスに取付けた、請求項１６記載の遊技場の空気浄化装置。
【請求項１８】
空気清浄機の吹出口に向けて帯電イオン・オゾン・除菌剤又は消臭剤の粒子を送り込む除菌消臭剤送り込み装置を設けた、請求項１〜１７何れか記載の遊技場の空気浄化装置。
【発明の詳細な説明】
【技術分野】
【０００１】
本発明は、パチンコ・スロットル・その他ゲーム機等の遊技場における遊技機の前でプレイする遊技者の周囲が、タバコ煙・空気中の雑菌・ゴミ・汗臭・香水・体臭等で汚されている空気環境を、遊技場の空調設備と連係して空気の吸排気とその間のフィルターを有する簡単な空気清浄機で改善する装置に関する。
【背景技術】
【０００２】
従来、遊技場では多くの遊技者がタバコを吸いながら長時間遊技することが多く、一般に遊技場の空気は汚れることが多く、タバコ煙の他に、空気中の雑菌・ゴミ・汗臭・香水等で空気が汚れている。
【０００３】
この空気汚れを解消すべく、遊技場全体の空調設備を設け、遊技者の空間の汚れた空気を天井位置で吸い込んでダクトで空調設備の空気浄化部でフィルター・イオン・酸化チタン・臭分解材・臭吸着材等を用いて空気浄化し、浄化した空気を遊技機の上方の天井近く位置から吹出して空気環境を改善している。
しかし、汚れた空気を天井方向に吸引するにしても遊技者から天井まで距離があって吸引力は弱く、空調設備の浄化した後の吹出空気の一部は遊技者空間に戻っても充分な空気浄化が行えなかった。又、遊技場の天井は高いことが多く、空調設備のみによる空気の循環・浄化は不充分であった。
【０００４】
この点を解消すべく、引用文献１には遊技者空間の境界に分煙ボードという仕切壁を設け、タバコの煙等が隣接する遊技者空間に移動しないように、空気汚れの拡散を防止する技術が開示されている。分煙ボード４０Ａを台間スタンド１０に固定し、又は分煙ボードＢをこの分煙ボードＡに摺動可能・回動可能又は折り畳み可能に取り付ける例も開示されている。
【０００５】
しかし、この引用文献１の発明は分煙ボードＡ，Ｂで汚れた空気の隣への拡散を防止するものだけであり、積極的に空気を浄化するものでなかった。
【０００６】
又、この引用文献１には台間スタンド１０に飲物等載置ユニット，小物入れユニット，空気ユニット等の各種ユニットを出入自在に取付ける技術も開示されている。
【０００７】
ここで、分煙ボードを取付けた台間スタンド１０に空気浄化ユニットを設けても、この遊技者空間の空気を遊技台の高さの上下間で循環させて空気浄化させるものであり、これでは空気汚れを少し改善されると判断されるが、逆に遊技者空間の空気の上方への移動が抑えられて遊技場の空調設備への空気流れが少なくなって、空調設備との空気浄化が連動されることが少なく、空気浄化は充分でないと思われる。又、遊技者の顔に空気浄化ユニットからの吹出空気流が当って遊技者に不快感を与える恐れがある。
【０００８】
次に、分煙ボードを有する台間スタンドは遊技者側に張り出しているため、しばしば行われる遊技機の交換作業の際、分煙ボードが出入される遊技機と接触して遊技機を破損させたり、そのため慎重な作業が要求されて、交換作業の手間・時間がかかるものとなっていた。
【０００９】
又、引用文献２に開示の空気清浄装置は、分煙ボードなしで遊技機間で下方位置に空気吸入口を、上方位置に空気排出口を設け、吸入口からの空気をフィルター等で空気浄化した後排出口から吹出した遊技者空間の空気を浄化させようとするものである。
【００１０】
この空気清浄装置は遊技者空間の上下で空気を循環させて、遊技者空間の空気汚れを空気清浄装置中のフィルター・イオン等で浄化するものであり、前記同様にこれでは遊技設備全体の空調設備と局所的な空気浄化の空気清浄装置との連動性が弱く、空気浄化効率が悪いものであった。
又、空気排出口は遊技者の遊技機の上部の高さにあって、左右の境界に吹き出して境界スクリーンを形成し、左右間の遊技者空間の空気が閉じ込められ、上昇しようとするタバコの煙が滞留するおそれがある。又、吹き出した空気が顔に吹付けて不快感を与えることもある。
【先行技術文献】
【特許文献】
【００１１】
【特許文献１】特開２０１３−１７６５５４号公報
【特許文献２】特開２００８−２６４０５９号公報
【発明の概要】
【発明が解決しようとする課題】
【００１２】
本発明が解決しようとする課題は、従来の問題点及び特許文献１，２の発明の欠点を解消し、遊技者空間の空気をフィルターで浄化し、天井方向に吹出して天井から空調設備に吸込み易くして、遊技場全体の空調設備と連係を高めて空気浄化を効率的に行い、しかも遊技機の交換作業時は空気浄化の装置が遊技者側への張り出さないようにでき、遊技機の交換作業時の機器の接触を少なくして交換作業が迅速にでき、更に遊技者との無意識の接触によって外れないように、又は心掛けの悪い遊技者等によって空気浄化装置が無断で取り外しできないようにできる遊技場の空気浄化装置を提供することにある。
【課題を解決するための手段】
【００１３】
かかる課題を解決した本発明の構成は、
１）  遊技機を複数台列設した遊技場で、同遊技場の上方で汚れた空気を吸い込み、吸い込んだ空気を浄化部で浄化した後に、吹出口から吹き出す空調設備を備えた遊技場における空気環境を改善するための遊技場の空気浄化装置であって、隣合う遊技機の間に巾の短い縦長の取付ボックスを固設し、同取付ボックスの前面壁の上方の一部に開口部を設け、空気を吸引してフィルターで空気清浄した後に上方に吹出す横長の電動の空気清浄機の後端部を前記取付ボックスの開口部に嵌挿して取付ボックスに取付けるとともに、同空気清浄機の電源コードのコネクターを取付ボックスの内部奥に設けた給電側コネクターと取り外し自在に接続し、しかも空気清浄機の嵌挿された後端部と取付ボックスの開口上方との間に空気清浄機の引き抜きを防止する鍵で解錠できる施錠具を取付けたことを特徴とする、遊技場の空気浄化装置
２）  空気清浄機が、その吸引口の口縁部に脱着自在に嵌着する通気孔のある押え蓋を備え、フィルターを口縁部と押え具との間で挟持し、押え蓋の脱着でフィルターを簡易に交換可能とした、前記１）記載の遊技場の空気浄化装置
３）  空気清浄機の後端部の上面に溝方向が左右方向の係合溝を設け、取付ボックスの上部に施錠具を取付け、取付ボックスの上部前壁に鍵穴を設け、施錠具は鍵穴から挿入される鍵によって前記係合溝に回転して係止する施錠片を有し、鍵で施錠片を回転して空気清浄機の後端の上部を前記係合溝に係止して空気清浄機の引き抜き防止とした、前記１）又は２）記載の遊技場の空気浄化装置
４）  取付ボックスの奥行きが短く、取付ボックスの後壁の内側に給電側コネクターを固設し、又空気清浄機の後端部の後端壁面に空気清浄機の電源コードの清浄機側コネクターを固設するとともに、同清浄機側コネクターと前記給電側コネクターとの両コネクターが空気清浄機の後端を取付ボックスの開口部から嵌挿すると接続できる同じ高さに配置された、前記１）〜３）何れか記載の遊技場の空気浄化装置
５）  空気清浄機の後端部の下部の足部分を上方から嵌入できる足受けを取付ボックスの開口部の下部に配置するとともに、同足受けを開口部から少し前方に突出して後端部の足部分が上方から嵌入できる突出位置から開口部内に退去できる位置まで進退自在に取付ボックスの開口部の下部に取付け、空気清浄機の後端部の開口部への挿入を容易とした、前記４）記載の遊技場の空気浄化装置
６）  取付ボックスの空気清浄機の後端部を挿入する奥行きが短い取付ボックスの開口部の下方位置に第２の縦に長い第２開口部を設け、同第２開口部に分煙ボードの後端部を脱着自在に嵌挿し、しかもその第２開口部の上方の取付ボックス位置に鍵で解錠できる分煙ボード施錠具を設けた、前記４）又は５）記載の遊技場の空気浄化装置
７）  分煙ボードの後端部の下部の足部分を上方から嵌入できる足受けを取付ボックスの第２開口部の下部に配置するとともに、同足受けを第２開口部から少し前方に突出して分煙ボードの後端部の足部分が上方から嵌入できる前方位置から第２開口部内に退去できる位置まで進退自在に取付け、分煙ボードの後端部が第２開口部に挿入されることを容易とした、前記６）記載の遊技場の空気浄化装置
８）  取付ボックスの奥行きを長くし、取付ボックスの同開口部から空気清浄機を挿入すると、取付ボックスの内部に空気清浄機全体が収容できるようにし、空気清浄機の電源コードは長尺になって、その先端にあるコネクターは取付ボックスの奥に設けた給電側コネクターと接続可能となっている、前記１）〜３）何れか記載の遊技場の空気浄化装置
９）  空気清浄機の後端部の下部の足部分を上方から嵌入できる同足部分の巾より長い足スライダーを開口部の下方に進退自在に設け、空気清浄機の開口部内への挿入と収納を容易にした、前記６）記載の遊技場の空気浄化装置
１０）  奥行きが長い取付ボックスの空気清浄機を挿入する開口部の下方位置に第２の縦に長い第２開口部を設け、同第２開口部に分煙ボードを脱着自在に挿入と収納できるようにし、しかも第２開口部の前方下方の取付ボックス位置に鍵で解錠できる分煙ボードの後端部を取付ボックスに係止する分煙ボード施錠具を設けた、前記８）又は９）何れか記載の遊技場の空気浄化装置
１１）  分煙ボードの後端部の下部の足部分を上方から嵌入できる同足部分の巾より長い足スライダーを第２開口部に進退自在に設け、しかも分煙ボード施錠具の施錠片が分煙ボードの足部分に係止できるように施錠片の出没を可能とする開口溝を足スライダーに設け、分煙ボードの施錠と収納を可能とした、前記１０）記載の遊技場の空気浄化装置
１２）  分煙ボードに書類・ファイルを保持する書類ホルダーと飲料用コップを受ける折り畳式のコップホルダーを取付けた、前記６）又は７）記載の遊技場の空気浄化装置
１３）  分煙ボードに書類・ファイルを保持する第２開口部を通過できる巾が狭い書類ホルダーと飲料用コップを受ける折り畳式の巾が狭いコップホルダーとを取付けた、前記１０）又は１１）記載の遊技場の空気浄化装置
１４）  空気清浄機の吸込口が左又は右側の一方側のみにある、前記１）〜１３）何れか記載の遊技場の空気浄化装置
１５）  空気清浄機の吸込口が左右両方面にある、前記１）〜１３）何れか記載の遊技場の空気浄化装置
１６）  空気清浄機の空気清浄機本体が卵を縦にした略卵型外形状で、その下半部と上半部とが枢着して開閉可能に嵌着されたもので、その下半部に空気吸引口を有し、上半部に上方への空気吹出口を有し、下半部又は上半部のいずれかに空気を下方から吸引して上方へ吹出す電動の送気ファンを設け、更に上半部と下半部の嵌合面にフィルターを配置した構造である、前記１）記載の遊技場の空気浄化装置
１７）  空気清浄機本体が常時は卵を縦になる姿勢で保持でき且つ９０°反転させた跳ね上げ姿勢に保持できるように横長の取付アームの先端に取り付けられ、同取付アームの後端部の上方に施錠用係合溝と送気ファンの電源コードのコネクターを取付け、同取付アームの後端部を取付ボックスの開口部に挿入して開口部上方に設けた施錠具で施錠されて且つ給電用コネクターと送気ファンの電源コネクターが接続されるように取付ボックスに取付けた、前記１６）記載の遊技場の空気浄化装置
１８）  空気清浄機の吹出口に向けて帯電イオン・オゾン・除菌剤又は消臭剤の粒子を送り込む除菌消臭剤送り込み装置を設けた、前記１）〜１７）何れか記載の遊技場の空気浄化装置
にある。
【発明の効果】
【００１４】
本発明によれば、遊技機間に固設した縦長の取付ボックスの開口部に空気清浄機の後端部を挿入して横長の空気清浄機又は本体が略卵型した跳ね上げ式の空気清浄機を取付け、遊技機間の遊技者空間の汚れた空気・タバコ煙を空気清浄機に吸い込んで、その内部のフィルターで空気浄化した後上方に吹出す。これによって、空気清浄機からの吹出空気は天井にある空調設備又は遊技機の上方に設けた空調設備の吹込口へ強制的に送られ、遊技場全体の空調設備が空気清浄機から吹出された空気を天井近くで吸引し易くし、空調設備の空気浄化部で浄化した後、浄化した空気を遊技者空間に戻すことで空気浄化が１次的に空気清浄機によってなされ、その浄化された空気を効率的に吸引して空調設備で浄化することで２重に浄化されて、より充分な空気浄化がなされるとともに、空調設備の吸引力を高め、遊技場全体の空気の循環を良好にし、浄化力を高める。
【００１５】
又、遊技者空間には空気清浄機が吹き出した浄化した空気の一部が吸引されず遊技者空間に滞留することで、遊技者空間の空気汚染の悪化を抑え、ある程度空気浄化した空気の遊技者空間への直接供給を可能としている。又、空気清浄機は取付ボックスの上方にあって、遊技者空間の汚れた空気・上昇しようとするタバコ煙を上方に吸い上げるようにすることで、遊技者空間の汚れた空気を効率的に吸引して浄化し易くして、その空間の局所的空気環境を良好にする。
【００１６】
次に、本発明の空気浄化装置は遊技機間の取付ボックスの開口部に空気清浄機の後端部を挿入し、その電源コードを取付ボックスの給電コネクターと接続可能とするとともに、前面上部で施錠具を有することで鍵を持たない遊技者が無断で空気清浄機を取り外せないようにできている。又は、遊技者が空気清浄機に接触しても取付ボックスから簡単に外れないようにしている。
【００１７】
更に、遊技機の交換作業時の場合は遊技場の管理者が鍵で施錠具の施錠を解錠し、コネクターを取り外すことで空気清浄機は取付ボックスから取り外しでき、遊技機と接触することがなくなる。
【００１８】
又は、長い取付ボックスの場合は解錠した後、空気清浄機を押し込んで取付ボックスの内部に全体を収納することでも遊技機の交換作業の支障にならないようにできる。
【００１９】
又、フィルターが空気清浄機の口縁部と嵌着する押え蓋とで狭持するものでは、その嵌着を解くと簡単にフィルター交換が行える。
【００２０】
取付ボックスの奥行きが短くした空気清浄機では、空気清浄機の後端部を取付ボックスの開口部から押し込むことで、その後壁のコネクターが取付ボックスの奥の同じ高さにある給電側コネクターと嵌合して接続状態となり、電気的接続が容易である。
【００２１】
更に、奥行きの短い取付ボックスの開口部の下方に第２開口部を有し、分煙ボードを脱着自在に嵌着できるものでは、遊技者のタバコの煙が隣の遊技者空間に移動を防止できる。しかも、この分煙ボードは分煙ボード施錠具が設けられ、遊技機交換のときは同施錠具を鍵で解錠することで取付ボックスから取り外しできて遊技機の交換作業に支障がないようにできる。又、遊技者が無断で又は接触によって分煙ボードが外れることがないようになっている。
【００２２】
奥行きが長い取付ボックスでその開口部の下方に第２開口部を有し、分煙ボードを第２開口部に脱着自在に嵌挿できるものでは、タバコの煙が隣の遊技者空間に移動するのを防止できる。しかも、この分煙ボードと第２開口部とは分煙ボード施錠具が設けられているので、分煙ボードが無断で又は接触で取付ボックスから外れることがない。又、分煙ボード施錠具を解錠して分煙ボードを押し込むと取付ボックスの内部に収納でき、遊技機の交換作業の支障にならないようになっている。
【００２３】
この分煙ボードに書類フォルダー、折り畳式コップホルダー等の巾を狭い機具を取付けると、使用の便利さが増す。例えば、書類フォルダーに遊技機の取り扱い説明書・広告・パンフレット等を置ける。又、遊技者の飲食水をコップホルダーに置いて、こぼすことがないようにできる。
【００２４】
空気清浄機が隣り合う左右両方の遊技者空間の空気が吸い込めれば、巾が短くて、空気清浄力を高められる。
【００２５】
請求項１６，１７の発明の如く、空気清浄機本体が、略卵型して下半部と上半部が枢着されて開閉可能に嵌着され、又全体が９０°反転させて跳ね上げ姿勢にできるように取付けた横長の取付アームを、取付ボックスの開口部に取り付けるとともに、その間に施錠具を有し且つ下半部と上半部との間の嵌着の間にフィルターを介在させたものでは、施錠具で前記同様に空気清浄機は取付ボックスから無断で取り出しできず、又接続しても外れることができにくくしている。更に、遊技機の交換作業時では跳ね上げることで、空気清浄機と遊技機との接触が少なくでき、交換作業時の支障になることがない。
【００２６】
更に、フィルターの交換も下半部と上半部の嵌着を解いて上下に２分割して開けば、フィルターの取り出し及びフィルター交換も容易となる。
そして、空気は下方から吸引しフィルターで浄化して上方に吹出すので、空調設備による浄化と連係して遊技場全体の浄化及び遊技者空間の浄化を効果的にしている。
【００２７】
このタイプの空気清浄機でも、以下説明する実施例１，２の変形例の如くその取付ボックスに第２開口部を設けて分煙ボードを取付けて、分煙ボード施錠部を設ければ、前記同様に隣り合う遊技者空間へのタバコ煙等の汚れた空気の移動を少なくでき、又遊技機の交換時は解錠して前記のように分煙ボードの取り外し又は押し込んで長い取付ボックス内に収納させることで、支障がないようにできる。
【００２８】
このタイプの空気清浄機でも、遊技者空間の汚れた空気を下方から吸引し、フィルターで浄化した後上方へ吹出すものであるから、前のタイプの発明と同様に空気清浄機による浄化と、空調設備の浄化との二重の浄化が働いて、効率的な空気循環と浄化が行える。
【００２９】
又、図８，９，１３，１４，１５に示すように、実施例では空気清浄機の後端部の足（部分）を受ける足受け５９Ａ又は足スライダー７８を設けている。又、分煙ボードの後端部の足（部分）を受ける足受け５９Ｂ又は足スライダー７８Ｓを設けている。空気清浄機の後端部の取付ボックスの開口部への挿入又は収納が、あるいは分煙ボードの第２開口部への挿入又は収納が、これらの足（部分）を足受け５９Ａ，５９Ｂ，足スライダー７８，７８Ｓに嵌入させることによって、開口部又は第２開口部への挿入又は収納が足受け５９Ａ，５９Ｂ又は足スライダー７８，７８Ｓがスライドすることで容易となる。
【００３０】
更に、上記１８）の如く空気清浄機の吹出口に、イオン・オゾン等の除菌剤又は消臭剤の粒子を送り込む除菌消臭剤送り込み装置を設ければ、汚れた空気を分解・除菌して上方に吹出して、遊技者空間の空気環境を更に良好にし、又空調設備との連係で空気浄化がより効果的となる。
【図面の簡単な説明】
【００３１】
【図１】図１は、本発明の遊技場での空調設備と空気清浄機とによる空気の流れを示す説明図である。
【図２】図２は、実施例１の空気清浄機を短い奥行長さの取付ボックスに取付けた状態の斜視図である。
【図３】図３は、実施例１の取付け前の空気清浄機と取付ボックスの分解斜視図である。
【図４】図４は、実施例１の空気清浄機の部品の分解斜視図である。
【図５】図５は、実施例１の空気清浄機の中央横断における拡大断面図である。
【図６】図６（ａ），（ｂ）は、空気清浄機の施錠具と電源のコネクターの配置構造及び施錠とコネクター接続を示す説明図である。
【図７】図７は、実施例１の空気清浄機の下方に分煙ボードを取付ボックスに取付けた変形例の説明図である。
【図８】図８は、図７の実施例１の変形例における空気清浄機の後端部の下部の足を足受けを用いて挿入させる行程を示す説明図である。
【図９】図９は、同実施例１の変形例における分煙ボードの後端部の下部の足を足受けを用いて挿入させる行程図である。
【図１０】図１０は、図７の変形例の空気清浄機を分煙ボードに取付ボックスに取付けた状態を示す斜視図である。
【図１１】図１１は、本発明の奥行きが長い取付ボックスを使った実施例２の空気清浄機取付前の斜視図である。
【図１２】図１２は、実施例２の空気清浄機を取付ボックス内に挿入した収納状態を示す説明図である。
【図１３】図１３は、図１１，１２の実施例２の空気清浄機の挿入と収納の行程を示す説明図である。
【図１４】図１４は、実施例２の空気清浄機の下方の取付ボックスに分煙ボードを取付けた変形例を示す斜視図である。
【図１５】図１５は、図１３，１４に示す実施例２の変形例の空気清浄機及び分煙ボードを取付ボックス内に挿入する工程を示す説明図である。
【図１６】図１６は、実施例２の空気清浄機及び分煙ボードを収納状態の斜視図である。
【図１７】図１７は、除菌消臭剤送り込み装置の斜視図である。
【図１８】図１８（ａ），（ｂ）は、本発明での空気清浄機の空気吸込み方向の例を示す説明図である。
【図１９】図１９は、本発明の跳ね上げ式の実施例３の空気清浄機を示す斜視図である。
【図２０】図２０は、実施例３の構成部品を示す分解斜視図である。
【図２１】図２１は、実施例３の取付状態を示す斜視図である。
【図２２】図２２（ａ），（ｂ）は、実施例３におけるフィルター交換作業状態及び空気清浄機本体の跳ね上げ状態を示す説明図である。
【発明を実施するための形態】
【００３２】
本発明で使用する空気清浄機は、遊技機間の台間に固設される取付ボックスに取り付けられるが、空気清浄機の高さはイスに座ってプレイする遊技者の頭以上の高さに取付け、又遊技機の前面ガラス面から客方向に離れた位置がよく、できればタバコ灰皿の設置された前後位置が好ましい。又、空気清浄機の送気機構・構造は、空気を側方又は下方から吸引してフィルターで空気清浄した後、上方に吹出するものであれば、その送気機構・構造を問うものでなく、種々の機構・構造のものが採用できる。又、送気ファンの個数・送気力・送気流量は適宜選ぶものである。
【００３３】
本発明では取付ボックスは奥行きが短いタイプのもの（実施例１，その変形例及び実施例３のもの）と、空気清浄機を開口部から挿入されて収納することができる程奥行きが長いタイプ（実施例２，その変形例のもの）とがある。前者のタイプでは遊技機の交換作業のときは、空気清浄機を取付ボックスから外してしまう。後者の場合は取付ボックス内に収容することで、遊技機の交換の支障となることがないようにする。
【００３４】
又、本発明の施錠具の位置は空気清浄機又は分煙ボードの存在に支障なく施錠解錠できる位置にする。
【００３５】
空気清浄機でのフィルターの交換の構造は、簡単な嵌合を解くと簡単にフィルターが取り出せ、又新しいフィルターに交換できる構造が好ましい。
【００３６】
空気清浄機は、フィルターで汚れたタバコ煙成分・ゴミ・雑菌等が付着させて浄化するが、好ましくは帯電イオン・オゾン・除菌剤・消臭剤等の成分を粒子・ガスとしてその吹出口に送り込む除菌消臭剤送り装置を設け、浄化した空気にこれらの粒子を接触させて、更に空気の清浄度を高めることが好ましい。
図１７に示すような除菌消臭剤送り装置を実施例１，２それらの変形例及び実施例３にも備えるものがあり、備えると上記効果を得ることができる。
【実施例】
【００３７】
（実施例説明）
図１は本発明の遊技場全体での空気流れを示す説明図であり、実施例での全体の空気流れを示す。
図２〜６に示す実施例は、取付ボックスの奥行きが短い実施例１である。図７〜１０は実施例１の構造に分煙ボードを取付けた実施例１の変形例である。又、図１１〜１３は取付ボックスの奥行きが長い実施例２の図面であり、図１４〜１６は実施例２に分煙ボードを取付けた実施例２の変形例の図面であり、図１９〜２２は略卵型の空気清浄機の実施例３を示す図面である。
尚、図１，１７，１８は本発明の全体又は備える機能の機器に関する図面である。
【００３８】
（符号の説明）
図１及び図２〜１６に示す実施例１，２及びそれらの変形例の図面の符号について説明する。
図中、１は本実施例の遊技場、１ａはその遊技場天井、２は遊技場１内に列設された遊技機、３は遊技場１の天井に設けた空調設備で、遊技場天井１ａに複数基取付けられ、吸引口と吹出口とを有し、吸引口から遊技場１内の空気を吸引して中間にフィルター等の空気浄化部（図示せず）を有し、浄化した後遊技場１の天井位置で吹出す（特に図１参照）。
【００３９】
図中、４は本発明の空気清浄機で横長の形状としていて、下方の左及び右の両側方から遊技者空間Ｓの汚れた空気を吸引して、フィルターで浄化した後及び除菌消臭剤送り込み装置８からの帯電イオン・消臭粒子等を混入して上方へ吹出す。
４１ａは空気清浄機４の吸引・吹出・浄化を行う本体部分のプラスチック製空気清浄機本体で、以下の構成４１ａ１〜４１ａ１０からなる。４１ａ１はその空気清浄機本体４１ａの表口縁部で、４１ａ１１は電源コード４１ａ９の配線のカバーとなり、除菌消臭剤送り込み装置８を内部に封止するコードカバー、４１ａ１２はフィルター押え嵌合蓋４１ａ７の枢支ピン４１ａ７０の枢支ピン受け、４１ａ１３はフィルター受枠４１ａ２に設けた枢支ピン４１ａ７０の枢支ピン受けである（特に図４参照）。
【００４０】
図中、４１ａ２はフィルター４１ａ８を挟持するフィルター受枠、４１ａ２０は表口縁部４１ａ１と裏口縁部４１ａ６等を連結するボルト孔、４１ａ２１は同ボルト孔に挿入する連結ボルト、４１ａ２２は同連結ボルトのナット、４１ａ３はモータ４１ａ４で回動される送気用回転羽根、４１ａ４はモータ、４１ａ５はモータ４１ａ４，回転羽根４１ａ３を取付け、送気路を形成する送気ケーシング、４１ａ６は表口縁部４１ａ１と対をなす裏口縁部、４１ａ６０はその吸込口格子、４１ａ６１は吸込口格子４１ａ６０の格子間の空間の吸込口、４１ａ６２は送気ケーシング４１ａ５の空気吹出口、４１ａ７は表口縁部４１ａ１の中央に嵌合するフィルター押え嵌合蓋、４１ａ７０はその枢支ピン、４１ａ７１はフィルター押え嵌合蓋４ａ７の裏側に複数個長く突設させたフィルター押え突起、４１ａ７２はフィルター押え嵌合蓋４１ａ７の格子間の空間である吸込口である。４１ａ７３はフィルター押え嵌合蓋４ａ７を表口縁部４１ａ１に止着するローレット付止ネジである（特に図５参照）。
【００４１】
図中、４１ａ８は繊維質の薄い空気通過できるフィルター、４１ａ９はモータ４１ａ４の電源コード、４１ａ１０は同電源コードの先端に取付けたコネクターである。
図中、４１ｂは空気清浄機本体４１ａを取付ける長板状の清浄機取付ベース、４１ｂ１は同清浄機取付ベースの後端に固着させた縦長の部材の後端部、４１ｂ２は清浄機取付ベース４１ｂに開口した略円形状の開口、４１ｂ３は後端部４１ｂ１の上部に設けた係合溝、４１ｂ４は後端部４１ｂ１の下部の細くした足である。
尚、空気清浄機本体４１ａは各構成部品を連結・取付ける多数のボルト孔・ボルトナットがあるが、その図形と符号はかなり省略している（特に図４参照）。
【００４２】
図中、５は実施例１，その変形例及び実施例３で使用される縦長で奥行きが短い取付ボックスである。５０〜５９Ａ，５９Ｂは同取付ボックス５の部品又は付属品であって、５０は取付ボックスの前壁、５１は上方の前壁５０に設けた開口部、５２は空気清浄機の後端部４１ｂ１を収納する開口部５１の奥の収納部、５３は給電線のコネクター、５４は給電線のスイッチ、５５は取付ボックス５の開口部５１の上方に設けた施錠具、５５ａはその施錠本体、５５ｂは鍵５８で回動される錠の回転軸、５５ｃは同回転軸５５ｂに取付けた施錠片、５５ｄは施錠具５５の前壁５０に設けた鍵穴である。５５ｆは取付ボックス５を遊技機設置台又は上方の表示灯天板に固定するネジの為のネジ孔である。又、５８は施錠具５５及び分煙ボード施錠具５７の共通の鍵である。
【００４３】
図中、５９Ａは空気清浄機４の後端部４１ｂ１の足４１ｂ４を嵌入して空気清浄機４の開口部５１への挿入を容易にする足受けであり、５９Ａ１は同足受け５９Ａの上方を開放した小さな箱状の足受け本体、５９Ａ２は同足受け本体の左右側面に設けたピン案内溝、５９Ａ３は取付ボックス５の開口部５１の下部の内側面に設けたピン案内溝５９Ａ２に嵌入される案内ピンであり、図８に示す様に足受け５９Ａを開口部５１から前方に突出させ（図８（ｃ）の状態とし）て、後端部４１ｂ１の足４１ｂ４を嵌入して空気清浄機４を押し込むと、足４１ｂ４が足受け５９Ａに乗って円滑に開口部５１内の収納部５２内に移動できる（図７，８参照）。
【００４４】
図７〜１０に示す実施例１の変形例の如く、奥行きの短い取付ボックス５の開口部５１の下方に第２開口部５６を設け、これに分煙ボード６の後端部６ａを嵌入し、第２開口部５６の上方に設けた分煙ボード施錠具５７を施錠して、固定する例の図７，９，１０及びその符号であって、
図中、６ａは分煙ボード６の後端部、６ｂは同後端部６ａの上部に設けた係合溝、これに係止する施錠片を有する分煙ボード施錠具５７は実施例１の施錠具５５と同じ構造を有し、施錠本体（図示せず。符号なし）とその回転軸（図示せず。符号なし），施錠片（図示せず。符号なし）と鍵穴５７ａを有している。
【００４５】
又、分煙ボード６にはファイル・書類・説明書等の書類ホルダー６ｃを折畳式コップ受６ｄを有している。
分煙ボード６の後端部６ａの足６ｅには取付ボックス５の第２開口部５６の下部に足受け５９Ａと同じ構造の足受け５９Ｂが配置されている。この足受け５９Ｂは足受け本体５９Ｂ１の左右側面にピン案内溝５９Ｂ２があり、これが第２開口部５６の下方内壁面の案内ピン５９Ｂ３と係合し、足受け本体５９Ｂ１へ図９に示すように分煙ボード６の後端部６ａの足６ｅを嵌入して押し込むと、足受け５９Ｂによって奥の方へスライドし易くなっている（図９参照）。
【００４６】
図１１〜１６に示される第２実施例及びその変形例で使用される７〜７９の符号について説明する。
図中、７は第２実施例で奥行きが長い取付ボックスであって、７０〜７９はその部分の符号であり、７０は奥行きが長い取付ボックス７の前壁、７１はその空気清浄機４の後端部４１ｂ１を挿入する開口部、７２は同開口部に続く奥行きのある収納部、７３は取付ボックス７の後部に取付けた給電線のコネクター、７４は給電線のコネクター７３への給電の開閉のスイッチ、７５は開口部７１の前面の上方に設けた第１実施例の施錠具５５と同じ構造を有し、施錠本体・回転軸・施錠片（以上図示せず）を備えた施錠具、７５ｄはその鍵穴である。７８は開口部７１の下方に配置され、空気清浄機４の後端部４１ｂ１の足４１ｂ４を嵌入させる細長の箱状の足スライダー、７８Ｓ１は足スライダー７８Ｓの前方底面に開口したスリットで施錠片７７ｃの通過の為の開口である（図１５参照）。７９は空気清浄機４のコネクター４１ａ１０を給電線のコネクター７３と嵌合して接続するための嵌合操作用の窓である。
【００４７】
又、図１４〜１６に示される分煙ボード６を取付けた第２実施例の変形例の図面の符号の説明である。
【００４８】
図中、７６は取付ボックス７の開口部７１の下方に開口した第２開口部、７７は分煙ボード６の固定の為の第２開口部７６の下方に設けた分煙ボード施錠具であって、施錠具５５と同じ構造を有していて、その７７ａはその鍵穴、７７ｂは回転軸、７７ｃは同回転軸に軸着された施錠片、７７ｄは施錠本体である。７８Ｓは第２開口部７６の下方に配置され、分煙ボード６の後端部６ａの下方の足６ｅを受ける足スライダーである。
【００４９】
図１７中の符号８は除菌消臭剤送り込み装置であって、本発明の空気清浄機に付加することで粒子・微粒子又はガス状の帯電イオン・消臭剤・オゾン等をフィルターで浄化された空気中に混入させることで、更に吹出空気の浄化を高め、又は脱臭させることができるものである。実施例では帯電イオンを主に放出させている。
【００５０】
図１８は、実施例１，２及びその変形例の空気清浄機４を遊技者空間Ｓの境界に取付けた図面で、遊技機２に対向して遊技者Ｍの座る椅子Ｃを設けている状態を示す平面図である。
【００５１】
図１９〜２２に示す実施例３は空気清浄機本体９ａが略卵型をして跳ね上げできる例で、実施例１の奥行きの短い取付ボックス５に取付けた実施例である。
図中、９は実施例３の空気清浄機、９ａはその卵型した空気清浄機本体、９ａ０は同空気清浄機本体の上下に２分割できる下方の本体下半部、９ａ０１は本体下半部９ａ０に側面に設けた格子の格子間隙の空気の吸引口、９ａ０２は本体下半部９ａ０の上部に設けたフィルター受体、９ａ０２１は同フィルター受体の周縁の立上ったカラー状の周側面、９ａ０２２はフィルター受体９ａ０２の空気通過の開口、９ａ０２３は周側面９ａ０２１の円周の一端を切欠する縦スリット、９ａ０３は本体下半部９ａ０の外周に縦に設けた取付アーム、９ａ１は本体上半部、９ａ１１は送気ファン取付部９ａ１３を中央に設けた上半部取付部、９ａ１２は同上半部取付部９ａ１１の一端に水平に突設した支持アームであって、上半部取付部９ａ１１は本体下半部９ａ０の環状の周側面９ａ０２１内にフィルター９ａ２を介在して嵌入される。
又、本体上半部９ａ１の支持アーム９ａ１２は本体下半部９ａ０の周側面９ａ０２１の縦スリット９ａ０２３に挿入される。
【００５２】
上半部取付部９ａ１１の中央に凹んだ送気ファン取付部９ａ１３に送気ファン９ａ４が嵌入され、その上に格子のドーム状の空気吹出蓋９ａ５が固着される。図中９ａ５０は空気吹出蓋９ａ５の格子間の間隙である空気吹出口である。
そして、送気ファン９ａ４は電源コード９ａ４２を有し、その先端にコネクター９ａ４３を有する。除菌消臭剤送り込み装置８を装置する場合、この送気ファン９ａ４と空気吹出蓋９ａ５の間に取付ける。形状もその間に収まる外形状にする。
【００５３】
そして、本体下半部９ａ０の取付アーム９ａ０３は一端が垂直周縁を有し、他周縁が円弧周縁を有する回転ボード９ａ６の垂直周縁にボルトナットで連結されて固着している。一方、本体上半部９ａ１の支持アーム９ａ１２は前記回転ボード９ａ６の垂直周縁の上方で枢ネジ９ａ１５で回転可能に枢着される。更に、同回転ボード９ａ６は横長の取付ボード９ｂの先端近くで枢着ネジ９ａ６１で枢支されている。
【００５４】
又、９ａ６３は回転ボード９ａ６の円弧周縁に設けた回転止めの係止片、９ａ６２は円弧周縁の上辺に設けた跳ね上げ保持のための切欠部である。
又、取付ボード９ｂの中央面には係止片９ａ６３と係止するストッパーピン９ｂ１０と、切欠部９ａ６２に嵌入して跳ね上げ（９０°回転）状態を保持するＬ字状の係合片９ｂ１１を枢ネジ９ｂ１２まわりに回転可能に枢着している。ストッパーピン９ｂ１０に係止片９ｂ６３を係止することで、卵型の空気清浄機本体９ａを垂直に保持する。又、回転ボード９ａ６の切欠部９ａ６２にＬ字状係合片９ｂ１１を係合させることで、本体上半部９ａ１及び本体下半部９ａ０を独立して９０°回転させた横向きに保持できる（図２２参照）。
【００５５】
取付ボード９ｂの後端には縦長の角部材の後端部９ｂ２が固着されている。この後端部９ｂ２の上端に施錠具５５の施錠片５５ｃに係止する係合溝９ｂ２３が設けられている。又、下部には足９ｂ２４を有し、実施例１の取付ボックス５の開口部５１に挿入され、上方の施錠具５５で係止されるようになっている。又、後端部９ｂ２の足９ｂ２４は開口部５１の下方の足受け５９Ａに嵌入して開口部５１へ挿入が容易となっている（図２１参照）。又、図中９ａｘは送気ファン９ａ４を送気ファン取付部９ａ１３に取付けるボルト挿入孔、９ａｙは同ボルト挿入孔に挿入される連結ボルト、９ａｚは支持アーム９ａ１２に設けられた枢ネジ９ａ１５のボルト挿入孔、９ａｗは取付アーム９ａ０３を回転ボード９ａ６の垂直周縁に取付ける連結ボルトである。
【００５６】
（実施例１）
図２〜６に示す本発明の実施例１は遊技機２間に間にあって、下方の台又は上方の天板にネジ孔５５ｆに固定ネジ（図示せず）をねじ込んで固設される。この取付ボックス５の奥行きは短いタイプのものである。又、空気清浄機４は横長で左右両側から吸込み上方に吹出す形態のものである。そして、その後端部４１ｂ１を取付ボックス５の開口部５１から後記するコネクター４１ａ１０と給電側コネクター５３が嵌合するまで挿入し、取付ボックス５の内側上部に設けた施錠具５５を鍵５８で施錠すると、その施錠の回転軸５５ｂに取付けた施錠片５５ｃが回転し、空気清浄機４の後端部４１ｂ１の上面に設けた係合溝４１ｂ３に係合して施錠状態となり、取付ボックス５から空気清浄機４は取り外せないようになる（図６（ａ），（ｂ）参照）。
【００５７】
又、空気清浄機４のモータ４１ａ４の電源コード４１ａ９の先端のコネクター４１ａ１０は、後端部４１ｂ１に背面に固設されている。又、取付ボックス５側の後壁内側には、給電線のコネクター５３が前記コネクター４１ａ１０と同じ高さで対向的に設けられている。又、コネクター５３への給電の開閉するスイッチ５４も取付ボックス５の後部に設けられている。このスイッチ５４で店側から空気清浄機４の通電／非通電が選択できるようになっている。
従って、空気清浄機４の後端部４１ｂ１を取付ボックス５の開口部５１から挿入して押し込むと、空気清浄機４のコネクター４１ａ１０が取付ボックス５の給電側コネクター５３に嵌合して電気的に接続できるようになっている（図２，３，６（ａ），（ｂ）参照）。
【００５８】
尚、実施例１，２その変形例いずれもその空気清浄機４の空気清浄機本体４１ａの構造は共通である。
【００５９】
図３に示すように、空気清浄機本体４１ａは横長の板状の清浄機取付ベース４１ｂに上辺を切頭した大略円形状の機取付開口４１ｂ２を設けている。この機取付開口４１ｂ２に図４に示すようにプラスチック製の表口縁部４１ａ１と、フィルター受枠４１ａ２と、モータ４１ａ４とそのモータで回転する回転羽根４１ａ３とを収めた送気ケーシング４１ａ５と、送気ケーシング４１ａ５の裏側に配置されて通気格子を有する裏口縁部４１ａ６と、表口縁部４１ａ１に枢着されて開閉できるフィルター押え嵌合蓋４１ａ７と、同フィルター押え嵌合蓋４１ａ７と表口縁部４１ａ１との間に配置されるフィルター４１ａ８とからなり、それらは多くのボルト孔４１ａ２０，これを貫通するボルト４１ａ２１，そのナット４１ａ２２で連結されて一体化されている。フィルター押え蓋４１ａ７は枢支ピン４１ａ７０まわりに回転して開閉する。その枢支ピン４１ａ７０は表口縁部４１ａ１の枢支ピン受け４１ａ１２及びフィルター受枠４１ａ２のピン係止の枢支ピン受け４１ａ１３で軸支されている（図４参照）。
【００６０】
更に、モータ４１ａ４の電源コード４１ａ９とその先端のコネクター４１ａ１０は清浄機取付ベース４１ｂの後端に取付けられる縦長部材の後端部４１ｂ１にコードカバー４１ａ１１を介して配置される。そして、清浄機取付ベース４１ｂの後端辺は後端部４１ｂ１の縦スリットに嵌入され固着されている。
【００６１】
フィルター４１ａ８はフィルター受枠４１ａ２とフィルター押え嵌合蓋４１ａ７の裏側に長く突設させたフィルター押え突起４１ａ７１との間で挟持されて固定される（図５参照）。
フィルター４１ａ８の交換は表口縁部４１ａ１とフィルター押え嵌合蓋４１ａ７の嵌合を解いて、その枢支ピン４１ａ７０まわりに開くことで、フィルター４１ａ８は簡単に取り出される。新しいフィルター４１ａ８の挿着も逆の手順で容易にできる。
【００６２】
実施例１における空気清浄機４の取付ボックス５への取付けは、図６に示している。空気清浄機４の後端部４１ｂ１を取付ボックス５の開口部５１に挿入する（図６（ａ）参照）。そして、奥まで押し込むと、空気清浄機４の電源コード４１ａ９のコネクター４１ａ１０は後端部４１ｂ１の後部に取付けられていて、取付ボックス５の後壁内側に取付けられた給電側のコネクター５３に嵌合し、電源線は給電線側と接続可能となる（図６（ｂ）参照）。尚、遊技場の運営者がスイッチ５４で空気清浄機４が作動しないようにすることもできるようになっている。
【００６３】
このように、空気清浄機４の後端部４１ｂ１が奥まで押し込まれた状態で、鍵５８を鍵穴５７ａに差し込んで廻せば回転軸５５ｂが回転し、これに取付けられた施錠片５５ｃが後端部４１ｂ１の係合溝４１ｂ３に入り込んで空気清浄機４の取付ボックス５からの引き抜きはできなくなる。これによって、遊技者が無断で又はこれら部材との接触によって空気清浄機４を引き抜くこと又は外れることができなくなり、固定状態を安全に保持できる。
【００６４】
遊技場１では、遊技機２の交換作業が定期的又は非定期的になされる。その場合は、鍵５８を使って施錠具５５の施錠を解いて、施錠片５５ｃを係合溝４１ｂ３から外せば、空気清浄機４は取付ボックス５から取り外せる。取り外した状態で遊技機２の交換を行えるので、空気清浄機４が交換作業の支障となることはない。
【００６５】
空気清浄機４のモータ４１ａ４を作動させると、この外周に取付けた回転羽根４１ａ３が回転して、その右側のフィルター押え嵌合蓋４１ａ７の格子の間の吸込口４１ａ７２から遊技者空間Ｓの空気とともにタバコ煙・ゴミ・体臭等を吸い込み、フィルター４１ａ８を介して周速をつけて上方にある格子がある空気吹出口４１ａ６２から上方に向けて吹出す。
実施例１の空気清浄機４は図１，５に示すように、左側の遊技者空間Ｓのタバコ煙・ゴミ・体臭等の汚れた空気も吸込口格子４１ａ６０のある裏口縁部４１ａ６を介して吸引され、迂回してフィルター４１ａ８を介して回転羽根４１ａ３で周回して空気吹出口４１ａ６２から上方に向けて吹出す。
左右いずれの遊技者空間の汚れた空気も吸引され、フィルター４１ａ８で大部分除去され、かなり浄化された空気が空気吹出口４１ａ６２から上方に送られる。
【００６６】
この空気清浄機４の高さは取付ボックス５の上方で、遊技者空間の遊技機２前面から少し遠い位置にあるので、上昇しようとするタバコ灰皿からのタバコ煙をその境界の方に移動させて、効果的に吸引できる。
【００６７】
又、空気清浄機４のフィルター４１ａ８の交換は、フィルター押え嵌合蓋４１ａ７の嵌合を解いて枢支ピン４１ａ７０まわりに回転すれば開かれて、フィルター４１ａ８の取り出しと新品のものとの交換が容易に行えるものとなっている。
【００６８】
空気清浄機４の空気吹出口４１ａ６２からかなり浄化された空気が上方へ吹出す。この吹出空気は上方の遊技場１の天井方向に吹き出されるので、遊技者Ｍの顔・頭部・手・首に流れないので、吹出空気の肌当りによって遊技者を不快にさせることはない。
【００６９】
空気清浄機４の空気吹出口４１ａ６２からのかなり浄化された空気に、更に図１７に示すようなマイナスイオン・オゾン・除菌剤又は消臭剤の粒子を送り込む除菌消臭剤送り込み装置８を取り付ければ、上方に吹出す空気にマイナスイオン（帯電イオン），オゾン，除菌剤，消臭剤等の粒子が混入して、空気の流れとともに空気を更に清浄化することができる。
【００７０】
空気清浄機４の空気吹出口４１ａ６２からの浄化された空気の大部分は上方に吹き出される。これによって、図１に示すように遊技場１が天井部又は天井に近い高い位置に設けられた空調設備３に送り込まれ、空調設備３の吸引口における吸引力以上に遊技者空間Ｓの空気が空調設備３に吸引され、空調設備が内蔵する本格的な空気浄化部の機能で空気が更に浄化された後吹出される。
このように、本発明では遊技者空間Ｓの近くで空気清浄機４のフィルター４１ａ８でもって一時的に浄化し、更に遊技場１の本来の空調設備３を使って空気を浄化することとなり、二重の浄化力を有するものとなり、空気の浄化力は高いものとなる。
【００７１】
しかも、各遊技機２の空気清浄機４の吹出空気は上方向であるので、遊技機２の列設位置では下方から上方への誘導された空気流れを生起し、又空調設備３の空気吹出方向はこの空気清浄機４の吹出流によって、遊技機の島の左右通路側の方向に流れ、これが島の間通路下方から各遊技機２の方向に移動し、遊技機２の下方位置から上方向へ流れる全体空気流れとなって、遊技場１の全体の空気循環を良好にして、遊技場全体の空気浄化も効果的に行われる。
【００７２】
又、本実施例１で遊技機２の交換作業する際は鍵５８で施錠具５５を解錠すれば、空気清浄機４は取付ボックス５から簡単に引き抜くことができ、引き抜くことで空気清浄機４と交換作業中の遊技機２の接触はなくなり、損傷することなく交換作業を安全に且つ迅速にできる。
又、空気清浄機４は常時に施錠して施錠片５５ｃは係合溝４１ｂ３と係合して使用するので、遊技者が空気清浄機４に接触しても又は無断で引き抜いたとしても取付ボックス５から外れないようになっている。
【００７３】
（実施例１の変形例）
図７，９,１０に示すように、実施例１の空気清浄機４の下方に分煙ボード６を取付けるようにすることもできる。この分煙ボード６の後端部６ａは空気清浄機４の後端部４１ｂ２同様に上面に係合溝６ｂを有し、又その上方に施錠具５５と同じ構造の分煙ボード施錠具５７を取付ボックスの第２開口部５６の少し上方に取付けている。この分煙ボード６を取付ボックス５の第２開口部５６に差し込んで、その後端部６ａの係合溝６ｂに分煙ボード施錠具５７の施錠片を係合させることで、分煙ボード６を取付ボックス５から勝手に引き抜けないようにしている。
【００７４】
この分煙ボード６で隣りの遊技者空間からのタバコ煙等の汚れた空気をかなり遮断して、隣の遊技者に不快感を与えることを少なくする。又は、汚れた空気を分煙ボードの内側に沿って上昇させ、空気清浄機４に吸引させ易いようにできる。
【００７５】
更に、この分煙ボード６の壁面にファイル・書類ホルダー６ｃ，折畳式コップ受６ｄを設ければ、遊技者の便利なものにできる。
【００７６】
（実施例２）
図１１〜１３に示す実施例２は、取付ボックス７が奥に長くなって空気清浄機４全体を奥行きが長い取付ボックス７内の広い収納部７２に収容できるようにした例である。
【００７７】
この実施例２の空気清浄機４は、実施例１と大部分同じ構造であり、相異点は電源コード４１ａ９が長くなって、その先端にコネクター４１ａ１０を取付けている点、及びその後端部４１ｂ１の下方に足４１ｂ４を設け、取付ボックス７の開口部７１の下辺に細長の浅い皿状の足スライダー７８を設けて、後端部４１ｂ１の下の足４１ｂ４を足スライダー７８に嵌入して空気清浄機４を押し込むことで、空気清浄機４全体を取付ボックス７内の収納部７２内に容易に収納できるようにした例である。
コネクター４１ａ１０と給電側コネクター７３とは手作業で接続するようにしている。そのため、取付ボックス７の奥に窓７９を開口している。
【００７８】
図１２は、空気清浄機４を収納部７２内に収納した状態を示している。図１３は、実施例２における収納行程を示す図面である。
通常使用状態は図１２の鎖線で示すようになり、図２に似たものとなる。実施例１と同様に実施例２でも施錠具７５及び空気清浄機４の後端部４１ｂ１に係合溝４１ｂ３を設け、鍵５８による施錠・解錠ができるようになっている。
【００７９】
この実施例２の空気清浄機４には、除菌消臭剤送り込み装置８を取付けている。又は、これを外すこともできる。
【００８０】
（実施例２の変形例）
図１４〜１６に示す例は、前記実施例２の分煙ボード６を取付けた変形例であり、この変形例は空気清浄機４及び分煙ボード６も足スライダー７８，７８Ｓで挿入し易くし、いずれも取付ボックス７内の収納部７２内に全体が収まるようになっている。
この分煙ボード６には、実施例１の変形例の分煙ボード６同様に取付ボックス７の第２開口部７６を通過できる巾の書類ホルダー６ｃ，折畳式コップ受６ｄを取付けている。
【００８１】
この実施例２の変形例は、常時は空気清浄機４及び分煙ボード６は引き出されて、取付ボックス７の施錠具７５及び下方の分煙ボード施錠具７７で実施例１，２の施錠具５５の施錠構造であり、同様に施錠され、取付ボックス７から無断で又は接触で引き抜きができないようになっている。
【００８２】
図１７は、実施例２の変形例の空気清浄機４の空気吹出口４１ａ６２にイオン，オゾン，除菌剤，消臭剤等の粒子を送り込む除菌消臭剤送り込み装置８の説明図である。同除菌消臭剤送り込み装置８はコードカバー４１ａ１１内に設けられている。この除菌消臭剤送り込み装置８の構造は、実施例１，２，その変形例とも同じである。
【００８３】
図１８（ａ），（ｂ）は、空気清浄機４の吸込口の他の配置例の説明図である。
（ａ）は右側のみの吸引の例、（ｂ）は左側のみの吸引の例である。
【００８４】
（実施例３）
図１９〜２２に示す実施例３は、図１に示す空気清浄機として跳ね上げ式の空気清浄機９を使用した例である。
【００８５】
この空気清浄機９は卵を縦にした形状の大部分がプラスチック製の空気清浄機本体９ａと、これを跳ね上げ式に取付ける回転ボード９ａ６と、これを回転自在に取付けた横長の取付ボード９ｂと、その後端部９ｂ２とからなっている。空気清浄機本体９ａは本体下半部９ａ０と本体上半部９ａ１とからなる。これらを取付ける取付ボックスは、実施例１と同じ奥行きの短い取付ボックス５を使用している。
【００８６】
この空気清浄機本体９ａは、格子間に吸引口９ａ０１を有し、通気性を有するフィルター９ａ２を受けるフィルター受体９ａ０２とその取付アーム９ａ０３とを有する本体下半部９ａ０と、送気ファン９ａ４を取付けて空気を下方から上方へ送り出す送気ファン取付部９ａ１３と、フィルター受体９ａ０２と送気ファン取付部９ａ１３と間に配置するフィルター９ａ２と、送気ファン取付部９ａ１３と、同送気ファン９ａ４の上部を覆う球面格子状の空気吹出蓋９ａ５とからなった本体上半部９ａ１とから構成されている。
【００８７】
又、空気清浄機９の空気清浄機本体９ａの本体下半部９ａ０の取付アーム９ａ０３を回転ボード９ａ６の垂直周縁部に固着し、又同回転ボード９ａ６の上方には送気ファン取付部９ａ１３の取付アーム９ａ１２を枢ネジ９ａ１５によって枢着していて、本体下半部９ａ０の上に送気ファン取付部９ａ１３が嵌着できるようになっている。
送気ファン取付部９ａ１３を枢ネジ９ａ１５まわりに９０°反転させると、図２２の如く本体下半部９ａ０と送気ファン取付部９ａ１３とが開閉して、フィルター９ａ２を取り出し、新品のものを挿着できる（図２２（ａ）参照）。又、本体下半部９ａ０とも９０°回転すると、卵型を保持したまま卵を横向きにして跳ね上げ状態になる（図２２（ｂ）参照）。
【００８８】
図２２（ｂ）の状態にすることで、遊技機２の交換の場合、遊技機２の交換に支障がないようにできる。
【００８９】
この回転ボード９ａ６には上辺に切欠９ａ６２を設けている。この回転ボード９ａ６を縦長の取付ボード９ｂに回転自在に取付け、この取付ボード９ｂには上記切欠９ａ６２に係止するＬ字状の係合片９ｂ１１が取付けられている。この取付ボード９ｂの後端に後端部９ｂ２を取付けていて、これにも施錠具５５との係合溝９ｂ２３を設けている。
【００９０】
この実施例３は下半部から空気を吹込み、フィルター９ａ２で浄化した後送気ファン９ａ４で上方へ送られて、上方へ浄化した空気を送り出す。
又、空気清浄機本体９ａを上下に本体下半部９ａ０と本体上半部９ａ１との２分割に開閉してフィルター９ａ２の交換を容易にし、又跳ね上げて遊技機２の交換作業の支障とならないようにした例である。他は、前の実施例と同様の作用効果を得る。
【産業上の利用可能性】
【００９１】
本発明は、主たる対象としているパチンコ店・スロットルゲーム店の他に、大人・子供対象のゲーム機又はパソコン機・個別画像スクリーンを列設した遊技場でも利用できる。
【符号の説明】
【００９２】
Ｍ    遊技者
Ｓ    遊技者空間
Ｃ    椅子
１    遊技場
１ａ    遊技場天井
２    遊技機
３    空調設備
４    空気清浄機
４１ａ    空気清浄機本体
４１ａ１    表口縁部
４１ａ１１    コードカバー
４１ａ１２    枢支ピン受け
４１ａ１３    枢支ピン受け
４１ａ２    フィルター受枠
４１ａ２０    ボルト孔
４１ａ２１    連結ボルト
４１ａ２２    ナット
４１ａ３    回転羽根
４１ａ４    モータ
４１ａ５    送気ケーシング
４１ａ６    裏口縁部
４１ａ６０    吸込口格子
４１ａ６１    吸込口
４１ａ６２    空気吹出口
４１ａ７    フィルター押え嵌合蓋
４１ａ７０    枢支ピン
４１ａ７１    フィルター押え突起
４１ａ７２    吸込口
４１ａ７３    ローレット付止ネジ
４１ａ８    フィルター
４１ａ９    モータの電源コード
４１ａ１０    コネクター
４１ｂ    清浄機取付ベース
４１ｂ１    機の後端部
４１ｂ２    開口
４１ｂ３    係合溝
４１ｂ４    足
５    取付ボックス
５０    前壁
５１    開口部
５２    収納部
５３    給電線のコネクター
５４    給電線のスイッチ
５５    施錠具
５５ａ    施錠本体
５５ｂ    回転軸
５５ｃ    施錠片
５５ｄ    鍵穴
５５ｆ    固定ネジ用ネジ孔
５６    第２開口部
５７    分煙ボード施錠具
５７ａ    鍵穴
５８    鍵
５９Ａ    足受け
５９Ａ１    足受け本体
５９Ａ２    ピン案内溝
５９Ａ３    案内ピン
５９Ｂ    足受け
５９Ｂ１    足受け本体
５９Ｂ２    ピン案内溝
５９Ｂ３    案内ピン
６    分煙ボード
６ａ    後端部
６ｂ    係合溝
６ｃ    書類ホルダー
６ｄ    折畳式コップ受
６ｅ    足
７    取付ボックス
７０    前壁
７１    開口部
７２    収納部
７３    給電線のコネクター
７４    給電線のスイッチ
７５    施錠具
７５ｄ    鍵穴
７６    第２開口部
７７    分煙ボード施錠具
７７ａ    鍵穴
７７ｂ    回転軸
７７ｃ    施錠片
７７ｄ    施錠本体
７８    足スライダー
７８Ｓ    分煙ボードの足スライダー
７８Ｓ１    足スライダー７８Ｓの底面のスリット
７９    窓
８    除菌消臭剤送り込み装置
９    空気清浄機
９ａ    空気清浄機本体
９ａ０    本体下半部
９ａ０１    吸引口
９ａ０２    フィルター受体
９ａ０２１    周側面
９ａ０２２    開口
９ａ０２３    縦スリット
９ａ０３    取付アーム
９ａ１    本体上半部
９ａ１１    上半部取付部
９ａ１２    支持アーム
９ａ１３    送気ファン取付部
９ａ１５    枢ネジ
９ａ２    フィルター
９ａ４    送気ファン
９ａ４２    電源コード
９ａ４３    コネクター
９ａ５    空気吹出蓋
９ａ５０    空気吹出口
９ａ６    回転ボード
９ａ６１    枢着ネジ
９ａ６２    切欠部
９ａ６３    係止片
９ａｘ    ボルト挿入孔
９ａｙ    連結ボルト
９ａｚ    ボルト挿入孔
９ａｗ    連結ボルト
９ｂ    取付ボード
９ｂ１０    ストッパーピン
９ｂ１１    係合片
９ｂ１２    枢ネジ
９ｂ２    後端部
９ｂ２３    係合溝
９ｂ２４    足
【図１】
2016041167.tif 000003
【図２】
2016041167.tif 000004
【図３】
2016041167.tif 000005
【図４】
2016041167.tif 000006
【図５】
2016041167.tif 000007
【図６】
2016041167.tif 000008
【図７】
2016041167.tif 000009
【図８】
2016041167.tif 000010
【図９】
2016041167.tif 000011
【図１０】
2016041167.tif 000012
【図１１】
2016041167.tif 000013
【図１２】
2016041167.tif 000014
【図１３】
2016041167.tif 000015
【図１４】
2016041167.tif 000016
【図１５】
2016041167.tif 000017
【図１６】
2016041167.tif 000018
【図１７】
2016041167.tif 000019
【図１８】
2016041167.tif 000020
【図１９】
2016041167.tif 000021
【図２０】
2016041167.tif 000022
【図２１】
2016041167.tif 000023
【図２２】
2016041167.tif 000024